(57)【要約】【課題】光送信部及び光受信部への給電状態に応じて動作監視用の回路に効率的かつ安定的に給電すること。【解決手段】この光トランシーバ１は、電源線Ｌ４によって給電される光送信部４、電源線Ｌ５によって給電される光受信部７、及び光受信部７及び光送信部４を監視し制御する監視制御回路８を備える光トランシーバであって、２つの電源のいずれかの入力電圧ＶｃｃＴ，ＶｃｃＲに応じて排他的にオン／オフするパワーＭＯＳトランジスタ９Ａ，９Ｂを備え、監視制御回路８は、パワーＭＯＳトランジスタ９Ａ，９Ｂを介して、２つの電源のいずれかによって給電される。【選択図】図１
2009259858.tif 000002
【特許請求の範囲】
【請求項１】
第１の電源によって給電される光送信部、第２の電源によって給電される光受信部、及び前記光受信部及び前記光送信部を監視し制御する監視制御部を備える光トランシーバであって、
第１の電源又は第２の電源のいずれかの入力電圧に応じて排他的にオン／オフする第１のパワーＭＯＳトランジスタ及び第２のパワーＭＯＳトランジスタを備え、
前記監視制御部は、前記第１のパワーＭＯＳトランジスタ及び前記第２のパワーＭＯＳトランジスタを介して、前記第１の電源及び前記第２の電源のいずれかによって給電される、
ことを特徴とする光トランシーバ。  
【発明の詳細な説明】
【技術分野】
【０００１】
本発明は、光信号を送受信する光トランシーバに関する。
【背景技術】
【０００２】
一般に、光通信に用いられる光トランシーバとしては、下記非特許文献１に記載の活線挿抜可能なＳＦＰ（Small Formfactor Pluggable）型光トランシーバが広く製品化されている。このＳＦＰ型光トランシーバには、光電変換素子を含む光送信サブアセンブリ（TOSA:Transmitter Optical Sub-Assembly）及び光受信サブアセンブリ（ROSA:Receiver OpticalSub-Assembly）が搭載されている。そして、それぞれの光送信サブアセンブリ及び光受信サブアセンブリには、別々に電源電圧ＶｃｃＲ及び電源電圧ＶｃｃＴが供給され、光送信サブアセンブリや光受信サブアセンブリの動作監視用の共通回路部は、電源電圧ＶｃｃＲ及び電源電圧ＶｃｃＴのいずれかから給電される。このように電源を２系統有する場合に対象機器や対象回路に給電する技術に関しては、下記特許文献１〜３に記載されている。これらの回路構造においては、２系統の電源からダイオードＯＲ回路を用いて対象回路に給電される。
【非特許文献１】”INF-8074i Specification for SFP(Small Formfactor Pluggable)Transceiver Rev 1.0”、［online］、２００１年５月１２日、SFF Committee、［平成２０年３月１７日検索］、インターネット＜URL: ftp://ftp.seagate.com/sff/INF-8074.PDF＞
【特許文献１】特開平１０−１８７２８８号公報
【特許文献２】特開平１１−２５８２７８号公報
【特許文献３】特開平１１−２８５２４３号公報
【発明の開示】
【発明が解決しようとする課題】
【０００３】
しかしながら、上述した従来技術のように電源からダイオードＯＲ回路を介して給電する場合には、ダイオード素子によって電圧降下が発生してしまうため、電力損失が大きくなる傾向にある。この場合に、対象回路に供給される電圧を確保するためには予め電源電圧を高めに設定する必要があった。
【０００４】
また、光トランシーバでは、各ＩＣや回路を供給電圧と同じ電圧（例えば、３．３Ｖ）で動作させる必要があり、電源電圧自体の監視機能も必要であるため、ダイオードＯＲ回路をそのまま用いると各回路の安定動作が困難となってしまう。
【０００５】
そこで、本発明は、かかる課題に鑑みて為されたものであり、光送信部及び光受信部への給電状態に応じて動作監視用の回路に効率的かつ安定的に給電することが可能な光トランシーバを提供することを目的とする。
【課題を解決するための手段】
【０００６】
上記課題を解決するため、本発明の光トランシーバは、第１の電源によって給電される光送信部、第２の電源によって給電される光受信部、及び光受信部及び光送信部を監視し制御する監視制御部を備える光トランシーバであって、第１の電源又は第２の電源のいずれかの入力電圧に応じて排他的にオン／オフする第１のパワーＭＯＳトランジスタ及び第２のパワーＭＯＳトランジスタを備え、監視制御部は、第１のパワーＭＯＳトランジスタ及び第２のパワーＭＯＳトランジスタを介して、第１の電源及び第２の電源のいずれかによって給電されることを特徴とする。
【０００７】
このような光トランシーバによれば、光送信部用の第１の電源及び光受信部用の第２の電源のいずれかの入力電圧に応じて第１のパワーＭＯＳトランジスタ及び第２のパワーＭＯＳトランジスタの一方がオンされ、他方がオフされることにより、第１のパワーＭＯＳトランジスタ又は第２のパワーＭＯＳトランジスタを介して、第１の電源又は第２の電源のいずれかから監視制御部に給電される。これにより、２つの電源から監視制御部に給電する際の電圧降下が小さくされて電力ロスを低減することができる。その結果、電源において予め高めの給電電圧を設定しておく必要もなくなる。
【発明の効果】
【０００８】
本発明の光トランシーバによれば、光送信部及び光受信部への給電状態に応じて動作監視用の回路に効率的かつ安定的に給電することができる。
【発明を実施するための最良の形態】
【０００９】
以下、図面を参照しつつ本発明に光トランシーバの好適な実施形態について詳細に説明する。なお、図面の説明においては同一又は相当部分には同一符号を付し、重複する説明を省略する。
【００１０】
図１は、本発明の好適な一実施形態にかかる光トランシーバ１の概略構成を示すブロック図である。同図に示す光トランシーバ１は、ホスト装置及び光伝送路に接続されてホスト装置と光伝送路との間でデータ信号を送受信するための装置である。光トランシーバ１には、光送信サブアセンブリ（以下、ＴＯＳＡという）２及び発光部制御回路３を含む光送信部４と、光受信サブアセンブリ（以下、ＲＯＳＡという）５及び受光部制御回路６を含む光受信部７と、監視制御回路８とが搭載されている。
【００１１】
ＴＯＳＡ２は、レーザダイオード及びモニタ用フォトダイオードを有し、発光部制御回路３からの制御信号に応じて光信号を生成し、外部に接続された光伝送路に向けて光信号を送信する。このＴＯＳＡ２は、モニタ用フォトダイオードによって生成された光信号のモニタ信号を発光部制御回路３に出力する。
【００１２】
発光部制御回路３は、レーザダイオード駆動（ＬＤＤ:Laser Diode Driver）回路及びＡＰＣ（Automatic Power Control）回路を有し、後述する監視制御回路８からの制御信号に応じてＡＰＣ回路及びＬＤＤ回路を動作させる。この発光部制御回路３は、信号線Ｌ１を介してホスト装置から２つの互いに位相が反転された相補的な送信信号Ｔｘ＋，Ｔｘ−を受信可能にされている。そして、発光部制御回路３は、送信信号Ｔｘ＋，Ｔｘ−に応じた光信号がＴＯＳＡ２によって生成されるように、ＬＤＤ回路からＴＯＳＡ２に供給されるレーザダイオードの駆動電流を制御する。また、発光部制御回路３は、ＴＯＳＡ２における光信号の送信パワーを監視し、異常値の場合にＴｘＦａｕｌｔ信号を生成して監視制御回路８に出力する。
【００１３】
ＲＯＳＡ５は、ＰＩＮフォトダイオードやアバランシェフォトダイオード等の光電変換素子及び増幅器を有し、受光部制御回路６からの制御信号に応じて、外部の光伝送路を経由して受信された光信号を電気信号に変換し、その電気信号を増幅した後に受光部制御回路６を介してホスト装置に出力する。
【００１４】
受光部制御回路６は、ＲＯＳＡ５からの電気信号を受けて２つの相補的な受信信号Ｒｘ＋，Ｒｘ−を生成する。そして、受光部制御回路６は、信号線Ｌ２を介してホスト装置に接続され、受信信号Ｒｘ＋，Ｒｘ−をホスト装置に送信可能にされている。また、受光部制御回路６は、ＲＯＳＡ５における光信号の受信パワーを監視し、基準値以下の場合にＬＯＳ（Loss of Signal）信号を生成して監視制御回路８に出力する。さらに、受光部制御回路６は、ＲＯＳＡ５からの電気信号を一定振幅の受信信号Ｒｘ＋，Ｒｘ−に増幅するリミッティングアンプ（ＬＩＡ）も含んでいる。
【００１５】
監視制御回路８は、光送信部４及び光受信部７の全体的な動作制御を行う回路であり、信号線Ｌ３を介してホスト装置に接続されている。この監視制御回路８は、ホスト装置からの制御信号に応じて、発光部制御回路３及び受光部制御回路６の動作を制御する。具体的には、発光部制御回路３のＡＰＣ回路及びＬＤＤ回路の動作を開始又は停止させる。また、監視制御回路８は、受光部制御回路６による光信号のモニタ機能、及びＲＯＳＡ５からの電気信号の増幅機能を開始又は停止させる。また、監視制御回路８は、各種アラーム信号を監視する機能も有し、ＬＯＳ信号やＴｘＦａｕｌｔ信号等のアラーム信号を受けた場合にそのアラーム信号をホスト装置に出力するとともに、アラーム信号に応じて発光部制御回路３又は受光部制御回路６の動作を停止させる等の制御を行う。
【００１６】
上述した光送信部４及び光受信部７は、それぞれ別の外部電源によって給電可能にされている。すなわち、光送信部４のＴＯＳＡ２及び発光部制御回路３は、電源線Ｌ４を介して外部電源から電源電圧ＶｃｃＴが供給され、光受信部７のＲＯＳＡ５及び受光部制御回路６は、電源線Ｌ５を介して外部電源から電源電圧ＶｃｃＲが供給される。
【００１７】
一方、監視制御回路８は、２つのパワーＭＯＳトランジスタ９Ａ，９Ｂを介して２つの外部電源のいずれかから給電される。具体的には、電源電圧ＶｃｃＴが印加される電源線Ｌ４には、パワーＭＯＳトランジスタ９Ａのドレイン及びゲートが接続され、監視制御回路８にはそのパワーＭＯＳトランジスタ９Ａのソースが接続されている。これに対して、電源電圧ＶｃｃＲが印加される電源線Ｌ５には、パワーＭＯＳトランジスタ９Ｂのソースが接続され、監視制御回路８にはそのパワーＭＯＳトランジスタ９Ｂのドレインが接続され、電源線Ｌ４にパワーＭＯＳトランジスタ９Ｂのゲートが接続されている。なお、パワーＭＯＳトランジスタ９Ａは、いわゆるＮ型のパワーＭＯＳトランジスタであり、パワーＭＯＳトランジスタ９Ｂは、いわゆるＰ型のパワーＭＯＳトランジスタである。
【００１８】
以上説明した光トランシーバ１によれば、光送信部４用の電源及び光受信部７用の電源のいずれかの入力電圧ＶｃｃＴ，ＶｃｃＲに応じてパワーＭＯＳトランジスタ９Ａ，９Ｂが排他的にオン／オフされることにより、パワーＭＯＳトランジスタ９Ａ又はパワーＭＯＳトランジスタ９Ｂを介して、２つの電源のいずれかから監視制御回路８に給電される。これにより、パワーＭＯＳトランジスタにおける電圧降下が極めて小さいために２つの電源から監視制御回路８に給電する際の電圧降下が小さくされて電力ロスを低減することができる。その結果、電源において予め高めの給電電圧を設定しておく必要もなくなる。
【００１９】
より具体的に言えば、電源線Ｌ４側の電源がオンされ、電源線Ｌ５側の電源がオフされている場合、パワーＭＯＳトランジスタ９Ａのドレイン及びゲートがハイレベルに設定されるために、パワーＭＯＳトランジスタ９Ａがオン状態にされる。その一方で、パワーＭＯＳトランジスタ９Ｂのゲートがハイレベルに設定され、ソースがローレベルに設定されるために、パワーＭＯＳトランジスタ９Ｂがオフ状態にされる。その結果、電源線Ｌ４側に印加される電源電圧ＶｃｃＴが、監視制御回路８に供給される。このとき、パワーＭＯＳトランジスタ９Ａのオン状態におけるドレイン−ソース間電圧は極めて小さいために、監視制御回路８に供給される電源電圧ＶｃｃＴの電圧降下も極めて小さくなる。
【００２０】
これに対して、電源線Ｌ５側の電源がオンされ、電源線Ｌ４側の電源がオフされている場合、パワーＭＯＳトランジスタ９Ａのドレイン及びゲートがローレベルに設定されるために、パワーＭＯＳトランジスタ９Ａがオフ状態にされる。その一方で、パワーＭＯＳトランジスタ９Ｂのゲートがローレベルに設定され、ソースがハイレベルに設定されるために、パワーＭＯＳトランジスタ９Ｂがオン状態にされる。その結果、電源線Ｌ５側に印加される電源電圧ＶｃｃＲが、監視制御回路８に供給される。同様に、パワーＭＯＳトランジスタ９Ｂのオン状態におけるドレイン−ソース間電圧は極めて小さいために、監視制御回路８に供給される電源電圧ＶｃｃＲの電圧降下も極めて小さくなる。
【００２１】
さらに、電源線Ｌ４，Ｌ５側の電源の両方がオンされている場合は、パワーＭＯＳトランジスタ９Ａがオン状態、パワーＭＯＳトランジスタ９Ｂがオフ状態にされる。その結果、電源線Ｌ４側に印加される電源電圧ＶｃｃＴが、監視制御回路８に供給される。
【００２２】
従って、光トランシーバ１は、図２に示す本発明の比較例である光トランシーバ８０１のように、監視制御回路８０８が光送信部８０４用の電源線Ｌ４からのみ給電される場合と比較して、受信側の電源のみが起動されていた場合でも、監視制御回路８によって正常に制御が為されるため受信信号を正常に受信することができる。
【００２３】
また、光トランシーバ１は、図３に示す本発明の比較例である光トランシーバ９０１のように、監視制御回路９０８が光送信部９０４用の電源線Ｌ４、又は光受信部９０７用の電源線Ｌ５のいずれかからダイオードＯＲ回路を経由して給電される場合と比較して、電源電圧の電圧降下を小さくすることができる。その結果、監視制御回路８も光送信部９０４及び光受信部９０７用に設定された電源電圧で安定して動作させることが可能になり、光送信部９０４及び光受信部９０７の監視機能も損なわれることがない。
【図面の簡単な説明】
【００２４】
【図１】本発明の好適な一実施形態にかかる光トランシーバの概略構成を示すブロック図である。
【図２】本発明の比較例にかかる光トランシーバの概略構成を示すブロック図である。
【図３】本発明の別の比較例にかかる光トランシーバの概略構成を示すブロック図である。
【符号の説明】
【００２５】
１…光トランシーバ、４…光送信部、７…光受信部、８…監視制御回路（監視制御部）、９Ａ，９Ｂ…パワーＭＯＳトランジスタ、ＶｃｃＲ，ＶｃｃＴ…電源電圧。
【図１】
2009259858.tif 000003
【図２】
2009259858.tif 000004
【図３】
2009259858.tif 000005